(57)【要約】【課題】スパウトの固着部の固着強度が高く、圧力が加わった場合でも内容物が漏れたりしないガゼット袋を、歩留まり良く、容易に、かつ、効率的に生産することを可能とするスパウト付きガゼット袋形成用のガゼット袋体を提供する。【解決手段】ガゼット袋体１は、表裏の胴材の左右に、二つ折りされた折り込み材３ａ，３ｂを挟み込むことによって、左右両側のマチが形成されている。そして、左右の各折り込み材３ａ，３ｂの上端際の部分が、合成樹脂製で一定幅の帯状部材１０によって、裏側の胴材２ｂの裏面にヒートシールされている。【選択図】図１
2018024472.tif 000002
【特許請求の範囲】
【請求項１】
合成樹脂製シートによって左右両側にマチを有する袋状に形成されており、合成樹脂製のスパウトを挿入して固着させるための開口部が頭部の略中央に設けられたスパウト付きガゼット袋形成用のガゼット袋体であって、
左右両側のマチが、それぞれ、表裏の胴材の左右に、二つ折りされた折り込み材を挟み込むことによって形成されたものであるとともに、
それらの左右の各折り込み材の上端際の部分が、合成樹脂製で一定幅の帯状部材によって、表裏の胴材の裏面にヒートシールされていることを特徴とするスパウト付きガゼット袋形成用のガゼット袋体。
【請求項２】
左右の折り込み材の上端際の部分が、単一の帯状部材によって、表裏いずれかの胴材の裏面に一緒にヒートシールされていることを特徴とする請求項１に記載のスパウト付きガゼット袋形成用のガゼット袋体。
【請求項３】
左右の折り込み材の上端縁、帯状部材の上端縁、および表裏の胴材の上端縁の高さ位置が同一になっていることを特徴とする請求項１、または請求項２に記載のスパウト付きガゼット袋形成用のガゼット袋体。
【請求項４】
左右の折り込み材同士の間隔が、取り付けられるスパウトの固着部分の幅よりも小さいことを特徴とする請求項１〜３のいずれかに記載のスパウト付きガゼット袋形成用のガゼット袋体。
【発明の詳細な説明】
【技術分野】
【０００１】
本発明は、合成樹脂製シートからなるマチ付きの袋体の上部に、合成樹脂製スパウト（抽出部材）が固着されており、食品、薬品、化粧品、洗剤等の各種の液体や粉体等の包装用袋として使用されるスパウト付きガゼット袋を形成するためのガゼット袋体に関するものである。
【背景技術】
【０００２】
従来、食品、薬品、化粧品、洗剤等の各種の液体や粉体等の包装用袋として、合成樹脂製のフィルム、積層フィルム等のシートで形成した種々のパウチ袋やガゼット袋（左右両サイドに、所謂、マチが設けられたもの）が広く使用されており、それらのパウチ袋やガゼット袋の上端縁に硬質の合成樹脂製のスパウト（注出部材）を固着させたスパウト付きパウチ袋やスパウト付きガゼット袋も利用されている（特許文献１）。
【０００３】
かかるスパウト付きガゼット袋を製造する方法としては、表裏２枚の合成樹脂製シートの左右両端際に、二つ折りした合成樹脂製シートを挟み込んだ状態で、その合成樹脂製シート積層物の左右両サイドおよび底部をヒートシールして、マチ付きの三方袋を形成し、しかる後に、その三方袋の開口部に、スパウトの基端に設けられた接着部を挿入し、合成樹脂製シート積層物の表裏２枚の合成樹脂製シートを、当該接着部に融着させる方法が採用される。
【先行技術文献】
【特許文献】
【０００４】
【特許文献１】特開２０１１−３１８９５号公報
【発明の概要】
【発明が解決しようとする課題】
【０００５】
しかしながら、上記特許文献１の如きスパウト付きガゼット袋の製造方法においては、マチ付きの三方袋の開口部にスパウトを固着させる際に、開口部の幅が広すぎる上に、マチを構成している合成樹脂製シートと表裏の合成樹脂製シートとが滑り合ってしまうので、スパウトの位置合わせが非常に困難である。そのため、スパウトが適正な位置で融着されないことに起因して、スパウトと表裏の合成樹脂製シートとの融着強度が低くなる事態も生じてしまう。
【０００６】
本発明の目的は、上記従来のスパウト付きガゼット袋の製造方法が有する問題点を解消し、スパウトの固着部の固着強度（融着強度）が高く、圧力が加わった場合でも内容物が漏れたりしないガゼット袋を、歩留まり良く、容易に、かつ、効率的に生産することを可能とするスパウト付きガゼット袋形成用のガゼット袋体を提供することにある。
【課題を解決するための手段】
【０００７】
本発明の内、請求項１に記載された発明は、合成樹脂製シートによって左右両側にマチを有する袋状に形成されており、合成樹脂製のスパウトを挿入して固着させるための開口部が頭部の略中央に設けられたスパウト付きガゼット袋形成用のガゼット袋体であって、左右両側のマチが、それぞれ、表裏の胴材の左右に、二つ折りされた折り込み材を挟み込むことによって形成されたものであるとともに、それらの左右の各折り込み材の上端際の部分が、合成樹脂製で一定幅の帯状部材によって、表裏の胴材の裏面にヒートシールされていることを特徴とするものである。
【０００８】
請求項２に記載された発明は、請求項１に記載された発明において、左右の折り込み材の上端際の部分が、単一の帯状部材によって、表裏いずれかの胴材の裏面に一緒にヒートシールされていることを特徴とするものである。
【０００９】
請求項３に記載された発明は、請求項１、または請求項２に記載された発明において、左右の折り込み材の上端縁、帯状部材の上端縁、および表裏の胴材の上端縁の高さ位置が同一になっていることを特徴とするものである。
【００１０】
請求項４に記載された発明は、請求項１〜３のいずれかに記載された発明において、左右の折り込み材同士の間隔が、取り付けられるスパウトの固着部分の幅よりも小さいことを特徴とするものである。
【発明の効果】
【００１１】
請求項１に記載のスパウト付きガゼット袋形成用のガゼット袋体（以下、単に、ガゼット袋体という）は、左右の折り込み材の上端際の部分が帯状部材によって表裏のいずれかの胴材の裏面にヒートシールされているため、上端縁にスパウトを固着（融着）させる際に、開口部を大きくすることができる上、固着させるスパウトが左右の折り込み材と干渉する事態が生じないので、スパウトの固着作業を効率良く容易に行うことができる。
【００１２】
請求項２に記載のガゼット袋体は、左右の折り込み材の上端際の部分が、単一の帯状部材によって、表裏いずれかの胴材の裏面に一緒にヒートシールされたものであるため、製造時に一度のヒートシール工程で、左右の折り込み材を胴材にヒートシールすることができるので、容易かつ安価に製造することができる。その上、左右の折り込み材が一緒に表裏いずれかの胴材の裏面にヒートシールされているため、スパウトの固着作業の際に（左右で歪まないように）開口部を開口し易い。
【００１３】
請求項３に記載のガゼット袋体は、左右の折り込み材の上端縁、帯状部材の上端縁、および表裏の胴材の上端縁の高さ位置が同一になっているため、製造時に表裏の胴材の上端際以外の部分を加熱する必要がないので、表裏の胴材の印刷に歪み等が生ずる事態を効果的に防止することができる。
【００１４】
請求項４に記載のガゼット袋体は、左右の折り込み材同士の間隔が、取り付けられるスパウトの固着部分の幅よりも小さいため、ガゼット袋体から形成されるスパウト付きガゼット袋は、スパウトの固着部分の左右の端縁際の外側に位置した合成樹脂シートが肉厚で屈曲しにくくなるので、内部に充填された液体等の内容物をスパウトから外部に注ぎ出す際に、スパウトがぐらついたりせず、スムーズに内容物を注ぎ出すことが可能となる。
【図面の簡単な説明】
【００１５】
【図１】ガゼット袋体を示す説明図（正面図）である。
【図２】ガゼット袋体を示す説明図である（ａは図１におけるＡ−Ａ線端面図であり、ｂは図１におけるＢ−Ｂ線端面図であり、ｃはｂにおける円形部分の拡大図であり、ｄは図１におけるＣ−Ｃ線端面図である）。
【図３】スパウトを示す説明図である（ａは正面図であり、ｂは底面図であり、ｃは側面図である）。
【図４】スパウトを固着させたガゼット袋体を示す説明図（正面図）である。
【図５】スパウトを固着させたガゼット袋体を示す説明図（図４におけるＤ−Ｄ線端面図）である。
【図６】スパウトを固着させたガゼット袋体を示す説明図（斜視図）である。
【図７】ガゼット袋体の変更例を示す説明図である（ａは正面図であり、ｂはａにおけるＥ−Ｅ先端面図である）。
【図８】ガゼット袋体を固着させたガゼット袋体（変更例）を示す説明図（斜視図）である。
【図９】ガゼット袋体の変更例を示す説明図（正面図）である。
【図１０】ガゼット袋体の変更例を示す説明図（正面図）である。
【図１１】ガゼット袋体の変更例を示す説明図（正面図）である。
【発明を実施するための形態】
【００１６】
本発明に係るガゼット袋体は、合成樹脂製シートによって形成される。ここでいう合成樹脂製シートとは、食品、薬品、化粧品、洗剤等の包装材料として用いられる合成樹脂フィルムを積層した積層フィルム、あるいは合成樹脂フィルムと紙やアルミ箔等とを積層した積層フィルム等のことである。本発明に係るガゼット袋体に用いられる合成樹脂製シートは、少なくとも片面（内面）が熱接着性を有している必要がある。
【００１７】
そのような合成樹脂製シートとしては、ポリエステルフィルム、ナイロンフィルム、ポリプロピレンフィルム等のベースフィルムに、ポリエチレンフィルム、ポリプロピレンフィルム等の熱接着性フィルムを積層したラミネートフィルム等を好適に用いることができる。また、そのようなラミネートフィルムの中間にポリエステルフィルムやナイロンフィルム等を挟み込んだ３層以上のラミネートフィルムも好適に用いることができる。
【００１８】
なお、ベースフィルムや中間層を形成するフィルムは、未延伸のものを用いることも可能であるし、一軸延伸あるいは二軸延伸したものを用いることも可能である。また、ベースフィルムと熱接着性フィルムとの界面、ベースフィルムと中間層を形成するフィルムとの界面、中間層を形成するフィルムと熱接着性フィルムとの界面には、必要に応じて、金属箔層や金属蒸着層を設けることも可能である。一方、合成樹脂製シートの厚みは、特に限定されないが、内容物に対する保存性能や耐破袋強度等の面から、４０〜２５０μｍであると好ましく、１１０〜１８０μｍであるとより好ましい。
【００１９】
本発明に係るガゼット袋体は、上記した合成樹脂製シートを、二つ折りされた折り込み材を表裏の胴材の左右に挟み込むという態様で積層し、その積層体の下部（底部）および側部をヒートシールして袋状にすることによって製造される。また、そのように製袋する際に、左右の各折り込み材の上端際の部分を、合成樹脂製で一定幅の帯状部材によって、表裏の胴材の裏面にヒートシールすることが必要である。
【００２０】
各ヒートシール（側方シール部、底シール部の形成、帯状部材のヒートシール等）および裁断は、ガゼット製袋機を用いて、一連の加工として実施することも可能であるし、バッチ（非一連）の加工として実施することも可能である。なお、ヒートシールの温度は、特に限定されないが、ポリエチレン（直鎖状低密度ポリエチレン）フィルムを熱接着性フィルムとする合成樹脂製シートを用いる場合には、１７０〜２１０℃の範囲内にするのが好ましい。
【００２１】
また、本発明に係るガゼット袋体は、正面視で概ね矩形に形成されるが、その大きさは特に限定されず、高さ、幅ともに概ね５０〜３５０ｍｍの範囲内で、必要に応じて調整することができる。また、本発明に係るガゼット袋体は、左右両サイドにマチ（内向きに二つ折りに折り込んだ部分）を設けたものであるが、当該マチの幅（二つ折り部分の幅）も、特に限定されず、概ね１０〜７５ｍｍの範囲内で必要に応じて調整することができる。
【００２２】
一方、本発明に係るガゼット袋体を用いてスパウト付きのガゼット袋を形成する際には、上記の如く形成されたガゼット袋体の開口部の内部に、合成樹脂によって形成されたスパウトを固着（融着）させる。かかるスパウトは、硬質の合成樹脂によって形成されたもの等を好適に用いることができ、注出口体（注出部の下部に接着部を連設した部材）とキャップとが別々に成形された２ピースタイプのものでも良いし、注出口体とキャップとが薄肉部を介して一体的に成形された１ピースタイプのものでも良い。注出口体の材質は、ガゼット袋体の熱接着性フィルムと熱接着（融着）できることが必要であり、そのような材質としては、ポリエチレン（直鎖状低密度ポリエチレン、中密度ポリエチレンまたは高密度ポリエチレン等）、ポリプロピレン、ポリエステル等を挙げることができる。
【実施例】
【００２３】
＜ガゼット袋体の構成＞
以下、本発明のガゼット袋体の一実施例について説明する。図１、図２は、ガゼット袋体を示したものであり、ガゼット袋体１は、表裏の合成樹脂製の胴材２ａ，２ｂ、左右の折り込み材３ａ，３ｂ、裏側の胴材２ｂに折り込み材３ａ，３ｂを融着させるための帯状部材１０を、所定の態様で重ね合わせて、所定の箇所をヒートシールすることにより、上部を開口した袋状に形成されている。
【００２４】
表裏の胴材２ａ，２ｂは、厚さ１５μｍのナイロンフィルム（ベースフィルム）の上に、アルミ蒸着を施した厚さ１２μｍのポリエステルフィルム（中間層）を、アルミ蒸着面がナイロンフィルムと接合するように積層し、さらにその上に、厚さ１３０μｍの直鎖状低密度ポリエチレンフィルム（熱接着性フィルム）を積層してなる合成樹脂製シートによって略矩形に形成されており、縦×横＝２４０ｍｍ×１３０ｍｍの大きさを有している。
【００２５】
そして、それらの胴材２ａ，２ｂの左右の両側部には，それぞれ、胴材２ａ，２ｂと同じ合成樹脂製シートによって形成された折り込み材３ａ，３ｂが、所定の幅（約４０ｍｍ幅）の二つ折りになった状態で挟み込まれている。表裏の胴材２ａ，２ｂは、それぞれ、直鎖状低密度ポリエチレンフィルム（熱接着性フィルム）層を内側にした状態で配置されており、折り込み材３ａ，３ｂは、直鎖状低密度ポリエチレンフィルム層を表裏の胴材２ａ，２ｂの裏面側にした状態で配置されている。加えて、左右の折り込み材３ａ，３ｂの折り曲げ稜線側ではない側方の端縁際（すなわち、左側の折り込み材３上端際の左端縁際、および、右側の折り込み材３ｂの上端際の右端縁際）には、それぞれ、２枚重なった折り込み材３ａ，３ｂを貫通するように貫通孔１７，１７が設けられている。
【００２６】
また、ガゼット袋体１の上端際の部分においては、帯状部材１０によって折り込み材３ａ，３ｂが裏側の胴材２ｂの内面に固着された状態になっている。当該帯状部材１０は、厚さ１５μｍのナイロンフィルム（ベースフィルム）の上下に、それぞれ、厚さ２０μｍの直鎖状(線状)低密度ポリエチレン（ＬＬＤＰＥ）フィルムを積層してなる三層構造の合成樹脂製シートによって、縦（上下幅）×横＝３０ｍｍ×１３０ｍｍの帯状（テープ状）に形成されている（すなわち、帯状部材１０は、表裏両面が熱接着性を有している）。
【００２７】
そして、ガゼット袋体１の上端際の部分においては、帯状部材１０が、内側から折り込み材３ａ，３ｂに押し当てられた状態で、裏側の胴材２ｂの外側から加熱されることによって、折り込み材３ａ，３ｂおよび裏側の胴材２ｂにヒートシールされている。すなわち、図２（ｂ）の如く、ガゼット袋体１の上端際の中央の部分においては、帯状部材１０の外面と胴材２ｂの裏面（内面）とが融着し合っており、ガゼット袋体１の上端際の左右の部分においては、それぞれ、帯状部材１０の外面と折り込み材３ａ，３ｂの裏面とが融着し合っている。さらに、その折り込み材３ａ，３ｂの裏面と融着し合った帯状部材１０の外側においては、裏側の胴材２ｂの裏面（内面）と折り込み材３ａ，３ｂの裏面とが融着し合っている。また、左右の折り込み材３ａ，３ｂの貫通孔１７，１７においては、帯状部材１０の外面と胴材２ｂの裏面とが直接的に融着し合っている。上記の如く、ガゼット袋体１の上端際の部分においては、帯状部材１０によって、左右の折り込み材３ａ，３ｂが裏側の胴材２ｂにヒートシールされていることにより、表側の胴材２ａと帯状部材１０との間が、スパウトを固着（融着）させるための面積の大きな開口部９となっている。
【００２８】
一方、ガゼット袋体１の左右の側縁際の胴材２ａ，２ｂと折り込み材３ａ，３ｂとの積層部分においては、一定幅（約７ｍｍ）の帯状の側方シール部５，５・・が設けられており、当該側方シール部５，５・・においては、表側の胴材２ａの裏面と折り込み材３ａ，３ｂの裏面、および、裏側の胴材２ｂの裏面と折り込み材３ａ，３ｂの裏面が、それぞれ融着し合っている。さらに、前方側（胴材２ａ側）の側方シール部５，５・・の上端際の部分においては、胴材２ａと帯状部材１０とが融着し合っている。
【００２９】
また、ガゼット袋体１の下端縁際には、底シール部７が略一定の高さ（約１３ｍｍ）の帯状に形成されており、側方シール部５，５・・の下端際の部分と重なり合っている。そして、当該底シール部７の中央の部分においては、表側の胴材２ａの裏面と裏側の胴材２ｂの裏面とが融着し合っており、底シール部７の左右の部分においては、それぞれ、胴材２ａ，２ｂの裏面と折り込み材３ａ，３ｂの裏面とが融着し合っている。
【００３０】
また、ガゼット袋体１の左右の下端縁際には、左右の側方シール部５，５・・から底シール部７に至るように、それぞれ一定幅（約７ｍｍ）の帯状の傾斜シール部２０，２０・・が設けられており、それらの傾斜シール部２０，２０・・は、水平方向に対して約４５°傾斜した状態になっている。また、傾斜シール部２０，２０・・の外側の端縁は、側方シール部５，５・・と重なり合っており、また、傾斜シール部２０，２０・・の内側の端縁（下端縁）は、底シール部７と重なり合っている。
【００３１】
さらに、底シール部７の左右両端際の部分（マチの部分）には、それぞれ、スポット融着部１９，１９が設けられている。当該スポット融着部１９，１９においては、二つ折りした折り込み材３ａ，３ｂを貫通するように貫通孔（図示せず）が設けられており、それらの貫通孔を介して、表側の胴材２ａの裏面と裏側の胴材２ｂの裏面とが直接的に融着し合っている。
【００３２】
＜ガゼット袋体の使用方法＞
（１）スパウト付きガゼット袋の形成
上記の如く形成されたガゼット袋体１は、上端の開口部９にスパウトを固着することによって、スパウト付きガゼット袋として使用することができる。図３は、ガゼット袋体１に固着させるスパウトを示したものである。スパウト１１は、注出口体１２とキャップ１３とが別々に形成された、所謂、２ピースタイプのものであり、注出口体１２、キャップ１３とも、ポリエチレンによって形成されている。注出口体１２は、内容物を抽出するための注出部１４の下部に、ガゼット袋体と融着させるための水平断面が略菱形で四層構造の接着部１５（固着部分）が連設されている。そして、それらの注出口体１２および接着部１５を上下に貫通するように抽出孔１８が設けられている。また、接着部１５の左右には、薄板状の融着補助片１６，１６が突設されている。かかる接着部１５は、約１０ｍｍの高さを有している。
【００３３】
スパウト１１をガゼット袋体１に固着（融着）させる際には、スパウト１１の接着部１５をガゼット袋体１の開口部９において表裏２枚の胴材２ａ，２ｂの間に挿入する。そして、その接着部１５の外側に位置した胴材２ａ，２ｂの上に、所定の温度（約２１０±５℃）に加熱した凹状の湾曲面を設けた熱板を押し付け、スパウト１１の接着部１５と胴材２ａ，２ｂの裏面とを融着させる（ヒートシールする）。すなわち、ガゼット袋体１の上端際の部分を一定幅でヒートシールすることによって、横長な帯状の上部シール部８を、左右の側方シール部５，５と重なるように形成する。
【００３４】
上記したスパウト１１の固着作業の際に、ガゼット袋体１においては、開口部９の付近において、左右の折り込み材３ａ，３ｂが帯状部材１０によって胴材２ｂに固着されているため、左右の折り込み材が邪魔にならない（干渉しない）ので（すなわち、開口部９の面積が広くなっているので）、非常に容易にスパウト１１を固着させることができる。また、固着されるスパウト１１の周辺に、後に充填される内容物を漏洩させてしまう隙間を生じさせたりしない。
【００３５】
図４〜図６は、ガゼット袋体１にスパウト１１を固着させて形成されるスパウト付きガゼット袋を示したものである。スパウト付きガゼット袋２１は、表側の胴材２ａ側においては、スパウト１１の接着部１５と胴材２ａの裏面とが融着し合っており、裏側の胴材２ｂ側においては、スパウト１１の接着部１５と帯状部材１０の内面とが融着し合っている。
【００３６】
（２）内容物の充填
上記の如く形成されるスパウト付きガゼット袋２１は、スパウト１１の抽出孔１８から内部に内容物（たとえば、シャンプー等）を充填させて用いられる。そして、そのように液体を充填させると、二つ折りになった折り込み材３ａ，３ｂの中間部分（上下の端縁際以外の部分）が拡がるとともに、左右前後の傾斜シール部２０，２０・・の上端際の部分（すなわち、側方シール部５，５・・と傾斜シール部２０，２０・・とが重なった部分）において、胴材２ａおよび胴材２ｂが、折り込み材３ａ，３ｂとともに屈曲して横長な長方形状の底面を形成するため、下側の部分が略直方体状（左右幅×奥行き＝約１３０ｍｍ×約８０ｍｍ）となる。そのため、スパウト付きガゼット袋２１は、安定した状態で起立させることができ、商品として陳列等に供することができる。
【００３７】
＜ガゼット袋体による効果＞
上記したガゼット袋体１は、左右両側のマチが、それぞれ、表裏の胴材の左右に、二つ折りされた折り込み材３ａ，３ｂを挟み込むことによって形成されたものであるとともに、左右の各折り込み材３ａ，３ｂの上端際の部分が、合成樹脂製で一定幅の帯状部材１０によって、裏側の胴材２ｂの裏面にヒートシールされているため、上端縁にスパウト１１を固着（融着）させる際に、開口部９を大きくすることができる上、固着させるスパウト１１が左右の折り込み材３ａ，３ｂと干渉する事態が生じないので、スパウト１１の固着作業を効率良く容易に行うことができる。
【００３８】
また、ガゼット袋体１は、左右の折り込み材３ａ，３ｂの上端際の部分が、単一の帯状部材１０によって、裏側の胴材２ｂの裏面に一緒にヒートシールされているため、製造時に一度のヒートシール工程で、左右の折り込み材３ａ，３ｂを胴材２ｂにヒートシールすることができるので、容易かつ安価に製造することができる。その上、左右の折り込み材３ａ，３ｂが一緒に裏側の胴材２ｂの裏面にヒートシールされているため、スパウト１１の固着作業の際に開口部９を（左右で歪まないように）開口し易い。
【００３９】
さらに、ガゼット袋体１は、左右の折り込み材３ａ，３ｂの上端縁、帯状部材１０の上端縁、および表裏の胴材２ａ，２ｂの上端縁の高さ位置が同一になっているため、製造時に表裏の胴材２ａ，２ｂの上端際以外の部分を加熱する必要がないので、表裏の胴材２ａ，２ｂの印刷に歪み等が生ずる事態を効果的に防止することができる。
【００４０】
加えて、ガゼット袋体１は、左右の折り込み材３ａ，３ｂ同士の間隔が上下方向に均一であり、その間隔が、取り付けられるスパウト１１の接着部１５（固着部分）の幅（左右の幅）よりも小さくなっている（図４等参照）。したがって、スパウト付きガゼット袋２１は、スパウト１１の接着部１５の左右の端縁際の外側に位置した合成樹脂シートが肉厚で屈曲しにくいので、内部に充填された液体等の内容物をスパウト１１から外部に注ぎ出す際に、スパウト１１がぐらついたりせず、スムーズに内容物を注ぎ出すことができる。
【００４１】
＜ガゼット袋体の変更例＞
本発明に係るガゼット袋体の構成は、上記実施形態の態様に何ら限定されるものではなく、合成樹脂製フィルムの材質、大きさ（高さ、幅、マチの幅等）、底シール部、側方シール部、傾斜シール部の形状等の構成を、本発明の趣旨を逸脱しない範囲で、必要に応じて適宜変更できる。たとえば、ガゼット袋体を構成する合成樹脂製シートは、上記実施形態の如く、ナイロンフィルムとポリエステルフィルムとポリエチレンフィルム（直鎖状低密度ポリエチレンフィルム）とを積層させたものに限定されず、他の材質の合成樹脂フィルムを積層させたものでも良い。なお、合成樹脂製シートとして、ナイロンフィルムとポリエステルフィルムとポリエチレンフィルム（直鎖状低密度ポリエチレンフィルム）とを積層させたものを用いた場合には、ガゼット袋体の強度が良好なものとなるとともに、ガゼット袋体の製造が容易なものとなる。
【００４２】
また、本発明に係るガゼット袋体は、上記実施形態の如く、下端際に傾斜シール部を設けたものに限定されず、左右前後の下端際に、上方から下方にかけて次第に幅広になるように（正面視が略三角形状になるように）テーパ状のシール部を設けたもの等でも良い。かかる構成を採用した場合でも、ガゼット袋体は、液体の充填時に、二つ折りになった折り込み材の中間部分が拡がるとともに、テーパ状のシール部の上端際の部分において、表裏の胴材が左右の折り込み材とともに屈曲して横長な長方形状の底面を形成するため、下側の部分が略直方体状となるので、安定した状態で起立させることが可能となる。
【００４３】
さらに、本発明に係るガゼット袋体は、上記実施形態の如く、胴材の左右のみに折り込み部を形成したもの（すなわち、胴材の左右のみに折り込み材を挟み込んだもの）、胴材の下部にも折り込み部を形成したもの（すなわち、胴材の下部にも折り込み材を挟み込んだもの）とすることも可能である。図７は、胴材の左右および下部に折り込み部を形成したガゼット袋体の一例を示したものであり、ガゼット袋体１’は、左右の折り込み材３ａ，３ｂの下端際の部分が、それぞれ、断面（鉛直な断面）Ｍ字状になるように中側へ斜めに折り曲げられており、それらの屈曲部分Ｆ，Ｆの内部に、胴材２ａ，２ｂ，折り込み材３ａ，３ｂと同様な合成樹脂製シートによって形成された横長な帯状体を（熱接着性面が外側に位置するように）二つ折りにしてなる下部の折り込み材４の左右の両端際が挟み込まれている。そして、側方シール部５，５・・の下端際の屈曲部分Ｆ，Ｆの外側では、胴材２ａの裏面と折り込み材３ａ，３ｂの裏面、および、胴材２ｂの裏面と折り込み材３ａ，３ｂの裏面が、それぞれ融着し合っており、屈曲部分Ｆ，Ｆの内側では、折り込み材３ａ，３ｂの裏面と下部の折り込み材４の裏面が融着し合っている。さらに、下端縁際の部分（折り込み材４が挟み込まれた部分）を一定の高さの帯状にヒートシールすることによって、底シール部７’，７’が形成されており、胴材２ａの裏面と折り込み材４の裏面、および、胴材２ｂの裏面と折り込み材４の裏面が、それぞれ融着し合っている。
【００４４】
図８は、上記の如く構成されたガゼット袋体１’にスパウト１１を固着させたスパウト付きガゼット袋２１’を示したものであり、かかるスパウト付きガゼット袋２１’は、内容物を充填させると、折り込み材３ａ，３ｂの二つ折りになった定幅部分が拡がって矩形状の側面を形成するとともに、底部付近において折り込み材４が拡がって矩形状の底面を形成するため、きわめて安定した状態で起立させることができる。
【００４５】
また、本発明に係るガゼット袋体は、上記実施形態の如く、左右の折り込み材を単一の帯状部材によって片方（表側あるいは裏側）の胴材にヒートシールしたものに限定されず、２枚の帯状部材を利用して、左右の折り込み材を、それぞれ別々の胴材にヒートシールしたものに変更することも可能である。さらに、そのように、左右の折り込み材を、それぞれ別々の胴材にヒートシールしたものとする場合には、左右の折り込み材を、同じ胴材（表側あるいは裏側の胴材）にヒートシールすることも可能であるし、左右の折り込み材を、別々の胴材（表側あるいは裏側の胴材）にヒートシールすることも可能である。かかる構成を採用した場合でも、ガゼット袋体は、上端縁にスパウトを固着（融着）させる際に開口部を大きくすることができ、スパウトの固着作業を容易に行うことができるものとなる。
【００４６】
さらに、本発明に係るガゼット袋体は、上記実施形態の如く、左右の折り込み材の上端縁、帯状部材の上端縁、および表裏の胴材の上端縁の高さ位置が同一であるものに限定されず、左右の折り込み材の上端縁が表裏の胴材の上端縁よりも低くなっているとともに、帯状部材の上端縁の高さ位置が表裏の胴材の上端縁の高さ位置と同一であるもの、あるいは、左右の折り込み材の上端縁が表裏の胴材の上端縁よりも低くなっているとともに、帯状部材の上端縁の高さ位置が表裏の胴材の上端縁の高さ位置よりも低くなっているもの等に変更することも可能である。
【００４７】
図９は、左右の折り込み材の上端縁が表裏の胴材の上端縁よりも低くなっているとともに、帯状部材の上端縁の高さ位置が表裏の胴材の上端縁の高さ位置よりも低くなっているガゼット袋体を示したものであり、ガゼット袋体３１は、胴材２ａ，２ｂの上端より下側の高さ位置において、帯状部材１０によって折り込み材３ａ，３ｂの上端際の部分が覆われた状態で、折り込み材３ａ，３ｂが帯状部材１０とともに裏側の胴材２ｂの内面（裏面）に固着された状態になっている。すなわち、ガゼット袋体３１の上部の中央（左右方向における中央）においては、帯状部材１０の外面と胴材２ｂの裏面（内面）とが融着し合っており、ガゼット袋体３１の上部の左右においては、それぞれ、帯状部材１０の外面と折り込み材３ａ，３ｂの裏面とが融着し合っている。さらに、その折り込み材３ａ，３ｂの裏面と融着し合った帯状部材１０の外側においては、裏側の胴材２ｂの裏面（内面）と折り込み材３ａ，３ｂの裏面とが融着し合っている。そして、ガゼット袋体３１の上部においては、左右の折り込み材３ａ，３ｂが、帯状部材１０によって裏側の胴材２ｂにヒートシールされていることにより、表側の胴材２ａと帯状部材１０との間が、内容物を充填するための面積の大きな開口部９となっている。かかる構成を採用した場合には、ガゼット袋体３１は、開口部９が表裏の胴材２ａ，２ｂのみで構成され、開口部９を構成する合成樹脂シートの厚みが均一なものとなるので、スパウトの固着作業が容易なものとなる。
【００４８】
加えて、帯状部材は、上記実施形態の如く、ナイロンフィルム（ベースフィルム）の上下に、それぞれ、ＬＬＤＰＥフィルムを積層してなる三層構造の合成樹脂製シートからなるものに限定されず、異なる合成樹脂によって形成された合成樹脂製シートからなるものに変更することも可能である。さらに、帯状部材の層構造や厚みも、必要に応じて適宜変更することができる。また、帯状部材は、上記実施形態の如く、横長で単純なテープ状のものに限定されず、所定の部分の上下幅を異ならせたものや、貫通孔を設けたもの等でも良い。
【００４９】
一方、本発明に係るガゼット袋体を用いたスパウト付きガゼット袋の製造方法は、上記実施形態の如く、側部および下部（底部）をヒートシールしたガゼット袋体の頭部の開口部にスパウトを固着（融着）させる製造方法に限定されず、側部のみをヒートシールしたガゼット袋体の頭部の開口部にスパウトを固着（融着）させた後に、開口した（未ヒートシール状態の）下部から内容物を充填してから、当該下部の未ヒートシール部分をヒートシールする方法等でも良い。かかる製造方法によれば、粘度の高い内容物等のスパウトからは充填しにくい内容物を容易に充填させることができる上、スパウトとしてワンピースタイプのものや逆止弁構造を有するものを用いることも可能となる。加えて、本発明に係るガゼット袋体は、上端の開口部から内容物を充填した後に、開口部にスパウトを固着させて使用することもできる。
【００５０】
また、本発明に係るガゼット袋体は、落下時の耐破袋性を向上させる目的で、帯状部材と左右の折り込み材との各ヒートシール部分の下方に、帯状部材をヒートシールした表裏いずれかの胴材と左右の折り込み材とをヒートシールしてなる補強用ヒートシール部を設けたものとすることも可能である。さらに、そのように、ガゼット袋体に補強用ヒートシール部を設ける場合には、当該補強用ヒートシール部を、左右の折り込み材の各折り込み線と帯状部材のヒートシール部分の下端縁との交点を含んだ状態、あるいは、それらの補強用ヒートシール部の下端縁が、左右の折り込み材の各折り込み線と帯状部材のヒートシール部分の下端縁との交点を通過した状態となるように設けるのが好ましい。
【００５１】
図１０は、上記の如く、補強用ヒートシール部を設けたガゼット袋体の一例を示したものである。ガゼット袋体４１は、上端際の部分において、帯状部材１０によって折り込み材３ａ，３ｂが裏側の胴材２ｂの内面に固着された状態になっている。そして、帯状部材１０と左右の折り込み材３ａ，３ｂとの各ヒートシール部分の下方には、それぞれ、裏側の胴材２ｂと左右の折り込み材３ａ，３ｂとの熱接着度合いを高めるための補強用ヒートシール部２５ａ，２５ｂが設けられている。それらの補強用ヒートシール部２５ａ，２５ｂは、裏側の胴材２ｂの上に左右の折り込み材３ａ，３ｂを載置し、それらの折り込み材３ａ，３ｂの上端際に帯状部材１０を載置してヒートシールした後に、裏側の胴材２ｂの上に載置された左右の折り込み材３ａ，３ｂの外側から（各補強用ヒートシール部２５ａ，２５ｂの内側の端縁際については帯状部材１０の外側から）、所定の温度（約２１０±５℃）に加熱した熱板（金属板）を押し当てることによって形成されたものである。そして、各補強用ヒートシール部２５ａ，２５ｂは、一定幅（約７．０ｍｍ）の帯状になっており、中央側から外側にかけて約４５°の角度で下向きに傾斜した状態になっている。
【００５２】
さらに、各補強用ヒートシール部２５ａ，２５ｂは、内側の端縁が各折り込み材３ａ，３ｂの折り込み線（稜線）の内側に位置した状態になっているとともに、外側の端縁際の部分が左右の側方シール部５，５と重なり合った状態になっている。加えて、各補強用ヒートシール部２５ａ，２５ｂは、表裏の胴材２ａ，２ｂの面に対して直交する方向から見た場合に、傾斜した下端縁が左右の折り込み材３ａ，３ｂの各折り込み線と帯状部材１０のヒートシール部分の下端縁との交点２６ａ，２６ｂを通過した状態になっている。そして、それらの補強用ヒートシール部２５ａ，２５ｂにおいては、裏側の胴材２ｂの裏面と折り込み材３ａ，３ｂの裏面が、それぞれ融着し合っている。
【００５３】
上記の如く構成されたガゼット袋体４１は、補強用ヒートシール部２５ａ，２５ｂによって帯状部材１０と左右の折り込み材３ａ，３ｂとの各ヒートシール部分のヒートシール強度が高められており、落下時に生じる内容物の圧力が帯状部材１０と左右の折り込み材３ａ，３ｂとのヒートシール部に集中しにくく、密封強度が良好であるため、誤って落下させてしまった場合でも、破袋して内容物を漏洩させる事態が生じない。また、ガゼット袋体４１は、補強用ヒートシール部２５ａ，２５ｂが中央側から外側にかけて下向きに傾斜した下端縁を有しているので、内容物を取り出す（注出する）際に内容物が折り込み部の間に残りにくい。
【００５４】
加えて、上記の如く、ガゼット袋体を補強用ヒートシール部を設けたものとする場合には、ガゼット袋体は、左右の折り込み材の上端縁、帯状部材の上端縁、および表裏の胴材の上端縁の高さ位置が同一であるものに限定されず、左右の折り込み材の上端縁、帯状部材の上端縁、および表裏の胴材の上端縁の高さ位置が異なるものでも良い。図１１は、左右の折り込み材の上端縁、帯状部材の上端縁、および表裏の胴材の上端縁の高さ位置が異なるガゼット袋体において補強用ヒートシール部を設けた一例を示したものであり、ガゼット袋体５１は、胴材２ａ，２ｂの上端より下側の高さ位置において、帯状部材１０によって折り込み材３ａ，３ｂの上端際の部分が覆われた状態で、折り込み材３ａ，３ｂが帯状部材１０とともに裏側の胴材２ｂの内面（裏面）に固着されている。そして、帯状部材１０と左右の折り込み材３ａ，３ｂとの各ヒートシール部分の下方に、それぞれ、図１０のガゼット袋体４１と同様に、裏側の胴材２ｂと左右の折り込み材３ａ，３ｂとの熱接着度合いを高めるための補強用ヒートシール部２５ａ，２５ｂが設けられている。
【００５５】
上記の如く構成されたガゼット袋体５１は、図１０のガゼット袋体４１と同様に、補強用ヒートシール部２５ａ，２５ｂによって帯状部材１０と左右の折り込み材３ａ，３ｂとの各ヒートシール部分のヒートシール強度が高められており、落下時に生じる内容物の圧力が帯状部材１０と左右の折り込み材３ａ，３ｂとのヒートシール部分に集中しにくく、密封強度が良好であるため、誤って落下させてしまった場合でも、破袋して内容物を漏洩させる事態が生じない。また、ガゼット袋体５１は、図１０のガゼット袋体４１と同様に、補強用ヒートシール部２５ａ，２５ｂが中央側から外側にかけて下向きに傾斜した下端縁を有しているので、内容物を取り出す（注出する）際に内容物が折り込み部の間に残りにくい。加えて、ガゼット袋体５１は、開口部９が表裏の胴材２ａ，２ｂのみで構成され、開口部９を構成する合成樹脂シートの厚みが均一なものとなるので、スパウトの固着作業が容易である。
【産業上の利用可能性】
【００５６】
本発明のガゼット袋体は、上記の如く優れた効果を奏するものであるから、スパウトを固着させてスパウト付きのガゼット袋を形成するための部材あるいは材料として好適に用いることができる。
【符号の説明】
【００５７】
１，１’・・ガゼット袋体
２ａ，２ｂ・・胴材
３ａ，３ｂ・・折り込み材
９・・開口部
１０・・帯状部材
１１・・スパウト
２１，２１’・・スパウト付きガゼット袋
【図１】
2018024472.tif 000003
【図２】
2018024472.tif 000004
【図３】
2018024472.tif 000005
【図４】
2018024472.tif 000006
【図５】
2018024472.tif 000007
【図６】
2018024472.tif 000008
【図７】
2018024472.tif 000009
【図８】
2018024472.tif 000010
【図９】
2018024472.tif 000011
【図１０】
2018024472.tif 000012
【図１１】
2018024472.tif 000013